(57)【特許請求の範囲】
【請求項１】
少なくとも２つの座席を有する座面と、
前記少なくとも２つの座席に対応した背凭れ面を有する背部と、
前記背部の下方に位置する背面支持部と、
前記背面支持部に対向する前面支持部と、
前記背面支持部と前記前面支持部の両端を接続する２つの側面支持部と、
前記前面支持部に開口部と、
前記座面の下方に前記開口部と繋がる空間と、
を備えるソファであって、
前記背面支持部及び前記２つの側面支持部は、前記背面支持部及び前記２つの側面支持部の下端部において床面に近接し又は床面に接し、
前記少なくとも２つの座席に対応した背凭れ面の互いの垂線がなす角度は、鉛直視で、鋭角であるソファと、
天板部と、脚部を有するやぐら部とを備えるこたつと、
を備えるユニット家具であって、
前記やぐら部は、
前記前面支持部の長手方向中央部に近接する又は接する位置に配置される一の脚部と、
前記前面支持部からの最短距離が前記一の脚部より大きい位置に配置される少なくとも２以上の他の脚部と、
を備え、
前記ソファの長手方向端部における前記背部の上端は、前記天板部の床面からの高さと略同一の床面からの高さを有する、
ことを特徴とするユニット家具。
【請求項２】
前記空間は、前記座面の下面と、床面と、前記背面支持部の内面と、前記２つの側面支持部の内面とにより形成されることを特徴とするソファを含む請求項１に記載のユニット家具。
【請求項３】
前記背部の下方まで拡がる前記空間を有することを特徴とするソファを含む請求項１又は２に記載のユニット家具。
【請求項４】
輻射熱を反射する素材又は発泡樹脂製素材のうち少なくとも一方を前記背面支持部および前記側面支持部の内面に備えることを特徴とするソファを含む請求項１乃至３のいずれかに記載のユニット家具。
【請求項５】
前記角度は、１０〜４５度であることを特徴とするソファを含む請求項１乃至４いずれかに記載のユニット家具。
【請求項６】
前記ソファの長手方向端部における前記背部の上端は、前記床面から５５０〜７００ｍｍであり、前記ソファの長手方向端部における前記背部の上端より、高い高さを一部に有する背部を有することを特徴とするソファを含む請求項１乃至５いずれかに記載のユニット家具。
【請求項７】
前記座面の前記こたつ側の端部と前記天板部の前記ソファ側の端部との最短距離が、それぞれの前記座席から、該座席と近傍の前記長手方向端部に向けて増加することを特徴とする請求項１乃至６いずれかに記載のユニット家具。
【請求項８】
前記ソファは、前記座面の前記こたつ側の端部と前記長手方向端部との角部が連続した曲面をなすように形成されることを特徴とする請求項１乃至７いずれかに記載のユニット家具。
【請求項９】
前記天板部のソファ側の端部の形状は、楕円形の短径との交点を頂点とする半楕円形であり、前記一の脚部は短径上に配置され、前記他の脚部の２つは長径上に配置されることを特徴とする請求項１乃至８いずれかに記載のユニット家具。
【請求項１０】
外周に１つの切り欠け部を有するこたつ布団をさらに備え、前記切り欠け部の幅は、前記ソファの前記長手方向端部の間隔に略等しいことを特徴とする請求項１乃至９いずれかに記載のユニット家具。
【発明の詳細な説明】
【技術分野】
【０００１】
本発明は、ソファ及びそのソファとこたつを含むユニット家具に関する。
【背景技術】
【０００２】
従来、テレビは、ブラウン管の奥行きを収めるために、部屋のコーナー部に配置され、テレビ画面は部屋の壁面に対して傾斜する方向となっていることが多かったが、最近は、テレビは液晶やプラズマなどの薄型が主流となっており、テレビ画面は壁面に対して水平に配置されることが多くなっている。
また、居間には応接セットと称されるソファとリビングテーブルからなる家具が置かれ、ソファは、座椅子や畳に座るよりも、立ったり座ったりする労力が少なくて済むので、シルバー世代とっては快適である。特に、冬期には、日本の伝統的暖房器具であるこたつは慣れ親しみがあり、しかも、部屋の大きさや断熱環境に左右されない省エネ暖房機器として、現在でもこたつは多く利用されている。しかし、シルバー世代にとっては、こたつを使う際、床に近い座面からの立ち座りが、大きな負担となる。
【０００３】
このような問題を解決しようとした先行技術として、特許文献１がある。この文献では、高齢者が長椅子とダイニングテーブル電気こたつからなるセットを使用する際、起き上がりやすいベッドと同じ寝台効果も持ち、手すりをつけた長椅子により起き上がりやすくし、いろいろな姿勢ができることで利用者本人が潜在能力を蘇らせたいと思えるダイニング電気こたつテーブルセットが開示されている。
【先行技術文献】
【特許文献】
【０００４】
【特許文献１】特開２００９−１７２１５９号公報
【発明の概要】
【発明が解決しようとする課題】
【０００５】
ソファには、主に、特許文献１に示されるようなベンチタイプ（通常２，３人掛け）と多人数用の直角に折れ曲がるコーナータイプがある。そのようなソファに座った場合、以前はテレビ画面が壁に対して傾斜していたので、テレビ画面を斜めに視ることが多かった。
ところが、テレビが壁面に対して水平に配置されると、ベンチタイプではテレビ画面を正面から視ることができるが、コーナータイプでは、場所によっては、着座者が首や体をテレビの方向にかなり向けないと、テレビ画面を視ることが困難になる。
一方、ベンチタイプでは、テレビを視るのは最適だが、着座者同士が面と向かい合って話しにくく、逆にコーナータイプでは比較的容易に向かい合うことができるというように一長一短がある。
【０００６】
そこで、本発明は、上記問題に鑑みてなされたものであり、本発明の目的とするところは、ソファという「西洋的な生活調度品」を用い、大型薄型テレビ閲覧に適した、核家族家庭にとって使い勝手の良いソファを、さらに、冬期においては、こたつという「伝統的な日本の暖房様式」とソファを融合し、特にシルバー世代にとって使い勝手の良い快適なユニット家具を提供することにある。
【課題を解決するための手段】
【０００７】
上記課題を解決するために、少なくとも２つの座席を有する座面と、前記少なくとも２つの座席に対応した背凭れ面を有する背部と、前記背部の下方に位置する背面支持部と、前記背面支持部に対向する前面支持部と、前記背面支持部と前記前面支持部の両端を接続する２つの側面支持部と、前記前面支持部に開口部と、前記座面の下方に前記開口部と繋がる空間と、を備えるソファであって、前記背面支持部及び前記２つの側面支持部は、前記背面支持部及び前記２つの側面支持部の下端部において床面に近接し又は床面に接し、前記少なくとも２つの座席に対応した背凭れ面の互いの垂線がなす角度は、鉛直視で、鋭角であるソファと、天板部と、脚部を有するやぐら部とを備えるこたつと、を備えるユニット家具であって、やぐら部は、前面支持部の長手方向中央部に近接する又は接する位置に配置される一の脚部と、前面支持部からの最短距離が一の脚部より大きい位置に配置される少なくとも２以上の他の脚部と、を備え、ソファの長手方向端部における背部の上端は、天板部の床面からの高さと略同一の床面からの高さを有する、ことを特徴とするユニット家具が提供される。
この構成によれば、二人又はそれ以上の人数が座りながらにして、テレビを正面に視ることができると共に、お互いの顔を見て向かい合って話すことも容易なソファとやぐら部を提供できる。また、冬期にこたつと共に使う場合には、座面が床面よりは高いので、容易に立ち上がったり、座ったりすることができる。さらに、こたつからの暖気が開口部を通して空間に入ることにより、暖気が座面を下から温め着座者の腰部を暖めるので、着座者に快適なソファを提供できる。また、背面支持部と２つの側面支持部は、その下端部において床面に近接し又は床面に接しているので、こたつからの暖気が逃げにくくなる。さらに、出入りする側でこたつの脚部がソファから離れているので、着座者が容易に立ち座りでき、こたつの出入りが容易な、ソファとこたつを含むユニット家具を提供できる。
【０００８】
また、前記空間は、前記座面の下面と、床面と、前記背面支持部の内面と、前記２つの側面支持部の内面とにより形成されることを特徴としてもよい。
この構成によれば、座面の下の空間が床面によっても形成され、空間をすべてソファの部材で形成する必要がないのでコスト安とすることが可能となる。
【０００９】
また、前記背部の下方まで拡がる前記空間を有することを特徴としてもよい。
この構成によれば、冬期にこたつと共に使う場合には、こたつからの暖気が背部の下方まで入ることにより、暖気が背部をも下から温めることで、着座者の背中をも暖めるので、着座者に快適なソファを提供できる。
【００１０】
また、輻射熱を反射する素材又は発泡樹脂製素材のうち少なくとも一方を前記背面支持部および前記側面支持部の内面に備えることを特徴としてもよい。
この構成によれば、冬期にこたつと共に使う場合には、ソファの支持部から熱が逃げにくく座面や背部に熱が伝わり易いので、着座者に快適なソファを提供できる。
【００１１】
また、前記角度は、１０〜４５度であることを特徴としてもよい。
この構成によれば、二人が座りながらにして、部屋の広さやテレビの置く位置に合わせて、テレビを正面に視ることができると共に、お互いの顔を見て向かい合って話すことも容易なソファを提供できる。
【００１２】
また、前記ソファの長手方向端部における前記背部の上端は、前記床面から５５０〜７００ｍｍであり、前記ソファの長手方向端部における前記背部の上端より、高い高さを一部に有する背部を有することを特徴としてもよい。
この構成によれば、背部の上端を床面から５５０〜７００ｍｍの範囲とすることにより、着座者が、その上端を掴んで容易に立ち座りすることができ、その上端を立ち上がり支点とすることができる。また、背凭れにヘッドレストを設けることができ、着座者がテレビを視聴する際に快適なソファを提供できる。さらに、冬期にこたつと共に使う場合には、その上端の床面からの高さが、こたつの天板の高さとほぼ同じになるので、一方の片手を天板に置き、他方の片手をその上端に置くことにより、着座者が立ち上がったり、座ったりするときのより大きな手助けとなり、シルバー世代にやさしいソファを提供できる。
【００１４】
また、前記座面の前記こたつ側の端部と前記天板部の前記ソファ側の端部との最短距離が、それぞれの前記座席から、該座席と近傍の前記長手方向端部に向けて増加することを特徴としてもよい。
この構成によれば、出入りする側が広がっているので、着座者が容易にこたつを出入りすることができる、ソファとこたつを含むユニット家具を提供できる。
【００１５】
また、前記ソファは、前記座面の前記こたつ側の端部と前記長手方向端部との角部が連続した曲面をなすように形成されることを特徴としてもよい。
この構成によれば、着座者が、体を横に回転させて楽に立ち座り、こたつの出入りができるようになり、容易にこたつを出入りすることができる。
【００１６】
また、前記天板部のソファ側の端部の形状は、楕円形の短径との交点を頂点とする半楕円形であり、前記一の脚部は短径上に配置され、前記他の脚部の２つは長径上に配置されることを特徴としてもよい。
この構成によれば、出入りする側が広がっているので、着座者が容易にこたつを出入りすることができる、ソファとこたつを含むユニット家具を提供できる。
【００１７】
また、外周に１つの切り欠け部を有するこたつ布団をさらに備え、前記切り欠け部の幅は、前記ソファの前記長手方向端部の間隔に略等しいことを特徴としてもよい。
この構成によれば、ソファの端部と床との段差にできやすいこたつ布団の隙間の量を減らすことができる。
【発明の効果】
【００１８】
以上説明したように、本発明によれば、ソファという「西洋的な生活調度品」を用い、大型薄型テレビ閲覧に適した、核家族家庭にとって使い勝手の良いソファを、さらに、冬期においては、こたつという「伝統的な日本の暖房様式」とソファを融合し、特にシルバー世代にとって使い勝手の良い快適なユニット家具を提供することができる。
【図面の簡単な説明】
【００１９】
【図１】本発明に係る実施形態のソファの正面図。
【図２】本発明に係る実施形態のソファの背面図。
【図３】本発明に係る実施形態のソファの平面図。
【図４】本発明に係る実施形態のソファの底面図。
【図５】本発明に係る実施形態のソファの側面図（その１）。
【図６】本発明に係る実施形態のソファの側面図（その２）。
【図７】本発明に係る実施形態のソファの、図１内のＩ−Ｉにおける断面図。
【図８】本発明に係る実施形態のソファとこたつを含むユニット家具の正面図。
【図９】本発明に係る実施形態のソファとこたつを含むユニット家具の平面図。
【図１０】本発明に係る実施形態のソファとこたつを含むユニット家具の側面図。
【図１１】本発明に係る実施形態のソファの使用説明図。
【図１２】本発明に係る他の実施形態のソファとこたつを含むユニット家具の側面図。
【図１３】本発明に係る実施形態の、さらにこたつ布団を含むユニット家具の平面図。
【図１４】本発明に係る実施形態のユニット家具の使用状況を示す斜視図。
【発明を実施するための形態】
【００２０】
以下では、図面を参照しながら、本発明に係る各実施形態について説明する。
図１〜７は、本発明に係る実施形態のソファ１を示す。ソファ１を概観すれば、ソファ１は、床面４に置かれた二人用のソファであり、二人が座るに十分な座面１０と、凭れることができる背部１１と、それらを支える支持部１２とを備える。
【００２１】
本ソファ１は二人用なので、図１の正面図と図３の平面図から明らかなように、それぞれの人に対応した、座面１０の一部を構成する２つの座席１０１と、２つの座席１０１に対応し、背部１１の一部を構成する２つの背凭れ面１１１を備える。なお、ソファ１は二人用だが、二人用に限定されず、例えば、ソファの長手方向端部の間の長さを延長して、３人以上が座れるようにしてもよい。
【００２２】
また、図２の背面図によれば、背面支持部１２２は、背部１１の下方に位置して背部１１と一体となり背部１１を支え、支持部１２の一部を構成する。図１の正面図によれば、即ち図３の背面図で示されたソファ１の背面側からすれば対向する側に、前面支持部１２１は、座面１０の下方に位置して座面１０を支え、支持部１２の一部を構成する。さらに、図１の正面図、図５と図６の側面図によれば、左右２つの側面支持部１２３は、背面支持部１２２と前面支持部１２１の両端を接続し、座面１０の下方に位置して座面１０を支え、支持部１２の一部を構成する。
【００２３】
なお、図５は、簡略化のため、ソファ１の右側面のみを表わしており、奥行き側に見えるはずである背部などは表わしていない。
【００２４】
図１の正面図、図４の底面図、及び図７の断面図によれば、ソファ１は、前面支持部１２１の下方に位置する開口部１３を備える。ソファ１では、開口部１３は切り欠け状になっているので、前面支持部１２１は開口部１３の下方には存在していない構成となっている。また、ソファ１は、座面１０の下方及び背部１１の下方にまで拡がる、開口部１３と繋がった空間１４を備える。図１１の左図が表わすように、冬期にこたつと共に使用した場合、空間１４にこたつからの暖気が充満し、その暖気により座面と背部が暖められるので、着座者の腰と背中を暖め、快適なソファ１を提供できる。
【００２５】
前面支持部１２１は開口部１３の下方には存在していない構成となっているので、空間１４は、その上面を座面１０の下面１５３により、その側面を背面支持部１２２の内面１５１と側面支持部１２３の内面１５２により、及び、その下面を床面４により形成される。これにより、空間１４をすべてソファ１の部材で形成する必要がないのでコスト安とすることができる。
【００２６】
なお、前面支持部が開口部の下方にも存在し、その前面支持部が開口部の下方においても２つの側面支持部と接続する構成、即ち、開口部が前面支持部に孔を形成する構成であってもよい。この場合は、空間の下面は、床面により形成されるのではなく、ソファ自身の一部材、例えば、ソファの底部によって形成されてもよい。
【００２７】
また、これらの内面１５１と１５２に、輻射熱を反射する素材や発泡樹脂製素材のうち少なくとも一方を備えてもよい。これにより、ソファ１の支持部から熱が逃げにくく座面や背部に熱が伝わり易いので、着座者に快適なソファを提供できる。なお、座面１０の温度が上がりすぎる場合、空間１４に、開口部１３の開口面に整合する形状のオットマン（フットレスト）を挿入配置したり、開口部１３にカーテン状の覆いを取り付けて、温度調整を行ってもよい。また、夏期のこたつ布団未使用時には、上記オットマンや上記覆いで開口部１３を塞いで良好な外観が得られるようにすることもできる。
【００２８】
また、ソファ１は、背面支持部１２２と左右両側の側面支持部１２３は、それらの下端部において床面４に近接する。これにより、こたつからの暖気が逃げにくくなる。もちろん、それらの下端部は、床面４に接してもよい。これにより、こたつからの暖気がより逃げにくくなる。
また、開口部が前面支持部に孔を形成する構成である場合は、前面支持部も、床面に近接するか、床面に接してもよい。これにより、ソファの前面側からも暖気が逃げにくくなる。
【００２９】
図３の平面図によれば、ソファ１においては、座面１０や背部１１が中央において曲がっており、全体でくの字型の概観を呈している。即ち、２つの座席１０１に対応した背凭れ面１１１の互いの垂線Ｐがなす角度θは鋭角をなす。例えば、ベンチタイプのソファであれば、背凭れ面の垂線は交わらないし、コーナータイプのソファであれば、角度θは９０度であるところ、ソファ１では、角度θは鋭角を形成する。これにより、二人が座りながらにして、テレビを正面に視ることができると共に、お互いの顔を見て向かい合って話すことできる。
【００３０】
なお、本ソファ１ではこの角度は約３０度であるが、部屋の大きさやテレビを置く位置を考慮すると、おおよそ１０〜４５度であることが好ましい。例えば、４５度である場合にはソファから２〜２．５メートルの位置に、２２．５度である場合にはソファから４〜５メートルの位置に、１０度である場合にはソファから７〜８メートルの位置に、テレビ画面があると、二人が座った位置から共に正面にテレビ画面を視ることができる。
【００３１】
また、ソファ１は、床面４からの座面１０の高さは、２５０ｍｍ〜３５０ｍｍであり、比較的低い座面を備えていることが好ましい。座面の高さの上限が３５０ｍｍであるのは、それ以上高くなるとテレビを視る視界が狭くなってしまうからである。また、座面の高さの下限が２５０ｍｍであるのは、それ以上低くなると立ち座りの負担が大きくなってしまうからである。これにより、テレビを視やすく、かつ、立ち座りに負担のかからないソファを提供できる。
【００３２】
また、図１の正面図と図３の平面図に表わされる、ソファ１の長手方向端部１６における背部１１の上端１１２は、床面４から５５０〜７００ｍｍである。これにより、着座者が、その上端を掴んで容易に立ち座りすることができ、その上端を立ち上がり支点とすることができる。
また、ソファ１の長手方向端部１６における背部１１の上端１１２より、高い高さを一部に有する背部、即ち、ヘッドレスト１１３を有する。着座者がテレビを視聴する際に快適なソファを提供できる。
【００３３】
図８〜１０は、本発明に係る実施形態のソファ１とこたつ２とを備えるユニット家具５を示す。ユニット家具５を概観すれば、ユニット家具５は、床面４に置かれた二人用のソファ１と、床面４に置かれた、天板部２０とやぐら部２１を有するこたつ２を備え、天板部２０とやぐら部２１は分離可能である。
【００３４】
やぐら部２１は、互いに接合された、楕円形である天板部２０の外形に適合した上部と４本の脚部２２を備え、天板部２０を支える。内２本の脚部２２が楕円形の短径の上に位置し、残りの２本の脚部２２が楕円形の長径の上に位置する。さらに、やぐら部２１は、着脱可能なヒーター２３を備える。なお、本実施形態では天板部２０は楕円形をなすが、ソファ１側の端部の形状のみが、楕円形の短径との交点を頂点とする半楕円形であってもよい。即ち、ソファ１側とは反対側はどのような形状であってもよく、重心が天板部の中央から極端に偏らない範囲で、例えば、そらまめ形状としてもよい。
【００３５】
図９の平面図によれば、こたつ２は、その長径方向がソファ１の長手方向とほぼ平行になるように、即ち、着座した二人の前にほどよく天板部が位置するように配置される。これは、即ち、やぐら部２１の短径上に位置した１つの脚部２２が、ソファ１の前面支持部１２１の長手方向中央部１７（図３に示す）に近接する位置に配置されることとなる。さらに、この場合、その短径上に位置した１つの脚部２２に比べ、長径上に位置した２つの脚部２２は、ソファ１の前面支持部１２１からより離れた位置に配置されることとなる。これにより、出入りする側でこたつ２の脚部２２がソファ１から離れているので、着座者が容易に立ち座りでき、こたつの出入りが容易な、ソファとこたつを含むユニット家具５を提供できる。
【００３６】
なお、やぐら部２１は４本の脚部を備えるが、不安定にならない程度に３本の脚部を備えてもよいし、５本以上の脚部を備えてもよい。この場合、やぐら部の短径上に位置した１つの脚部であって、ソファ１の前面支持部１２１の長手方向中央部１７に最も近接する位置に配置される１つの脚部は、３本の脚部、５本の脚部、もちろん、４本の脚部やこれら以上の脚部から形成される、平面視で多角形の一つの頂点となる。これにより、出入りする側でこたつの脚部がソファから離れているので、着座者が容易に立ち座りでき、こたつの出入りが容易な、ソファとこたつを含むユニット家具を提供できる。
【００３７】
また、ソファ１の座面１０のこたつ２側の端部と、天板部２０のソファ１側の端部との最短距離が、それぞれの座席１０１から、その座席１０１と近傍にあるそれぞれの長手方向端部１６に向けて増加する。即ち、例えば、図１１の右図が示すように、向かって右側の座席に座った着座者は、その右側の座席に近い方の長手方向端部、即ち、向かって右側の長手方向端部の方で立ち座りを行うこととなるが、その右側の座席からその右側の長手方向端部へ向けて、ソファと天板部の間の距離が増加するので、立ち座りやこたつの出入りが容易になる。
【００３８】
さらに、ソファ１は、座面１０のこたつ２側の端部と長手方向端部１６との角部１８が連続した曲面をなすように形成される。即ち、例えば、図１１の右図が示すように、向かって右側の座席に座った着座者は、その右側の座席に近い方の長手方向端部、即ち、向かって右側の長手方向端部と、座面のこたつ側の端部との角部１８で、身体を左に回転させながら足を出すこととなるが、その角部１８が連続した曲面をなすように形成され、大きなＲを有しているので、立ち座りやこたつの出入りが容易になる。
【００３９】
図８の正面図と図１０の側面図によれば、ソファ１の長手方向端部１６における背部１１の上端１１２は、天板部２０の床面４からの高さとほぼ同じの床面４からの高さを有する。これにより、床面からの高さが、こたつの天板の高さとほぼ同じになるので、一方の片手を天板に置き、他方の片手をその上端に置くことにより、着座者が立ち上がったり、座ったりするときのより大きな手助けとなり、シルバー世代にやさしいソファを提供できる。
なお、上端１１２には、掴みやすい手摺を設けてもよい。
【００４０】
上記の実施形態では、こたつ２は、平面視で楕円形であったが、これに限定されない。例えば、図１２では、平面視で菱形のこたつ２Ａが示される。即ち、こたつ２Ａの天板部２０Ａは菱形であり、また、やぐら部の上部もほぼ菱形になっている（図示せず）。これにより、ソファ１の座面１０のこたつ２Ａ側の端部と、天板部２０Ａのソファ１側の端部との最短距離が、それぞれの座席１０１から、その座席１０１と近傍にあるそれぞれの長手方向端部１６に向けて増加する。これにより、出入りする側が広がっているので、着座者が容易にこたつを出入りすることができる、ソファとこたつを含むユニット家具５Ａを提供できる。
【００４１】
また、こたつ２Ａは、４本の脚部２２Ａを備え、それらの脚部２２Ａは、菱形の対角線上に位置する。こたつ２Ａは、その長手方向がソファ１の長手方向とほぼ平行になるように、即ち、着座した二人の前にほどよく天板部が位置するように配置される。これは、即ち、こたつ２Ａの短径上に位置した１つの脚部２２Ａが、ソファ１の前面支持部１２１の長手方向中央部１７に近接する位置に配置されることとなる。これにより、その短径上に位置した１つの脚部２２Ａに比べ、長径上に位置した２つの脚部２２Ａは、ソファ１の前面支持部１２１から離れた位置に配置されることとなる。これにより、出入りする側でこたつの脚部がソファから離れているので、着座者が容易に立ち座りでき、こたつの出入りが容易な、ソファとこたつを含むユニット家具５Ａを提供できる。
【００４２】
図１３は、さらにこたつ布団を含むユニット家具５を示す。このユニット家具５は、外周に１つの切り欠け部３０を有するこたつ布団３をさらに備えてもよい。その切り欠け部３０の幅は、ソファ１の長手方向端部１６の間隔、即ち、ソファ１の長手方向の長さにほぼ等しいことにより、ソファの端部と床との段差にできやすいこたつ布団の隙間の量を減らすことができる。また、ソファ側と布団側に雌雄一対の面ファスナを取り付けたり、磁石を取り付けることにより、隙間をより減らしてもよい。本ユニット家具に含まれるソファ１は、上記で述べたソファと同様、座面１０に２つの座席１０１とそれに対応した背部１１を備える。二人の着座者は、それぞれの座席１０１に座りながら、足をこたつ２の方へ伸ばし、また、こたつ布団３を膝や太腿にも掛けることにより、さらには、こたつ布団３により空間１４にも暖気が満たされることにより、シルバー世代にとって使い勝手の良い快適なユニット家具５を提供できる。
【００４３】
図１４はユニット家具の使用状況を示すが、本図によれば、こたつ２を挟み、ソファ１の正面に大型薄型のテレビが置かれ、二人の着座者がソファ１に座り、こたつ２に足を入れて温まりながらテレビを視、時には向かい合って顔を見て会話する楽しいひとときを提供する、シルバー世代にとって使い勝手の良い快適なユニット家具５を提供できる。
【００４４】
尚、本発明は、例示した実施の形態に限定するものではなく、特許請求の範囲の各項に記載された内容から逸脱しない範囲の構成による実施が可能である。
【符号の説明】
【００４５】
１      ソファ
２      こたつ
３      こたつ布団
４      床面
５      ユニット家具
１０    座面
１０１    座席
１１    背部
１１１  背凭れ面
１１２  背部の上端
１１３  ヘッドレスト
１２    支持部
１２１  正面支持部
１２２  背面支持部
１２３  側面支持部
１３    開口部
１４    空間
１５    内面
１５１  背面支持部の内面
１５２  側面支持部の内面
１５３  座面の下面
１６    長手方向端部
１７    長手方向中央部
１８    角部
２０    天板部
２１    やぐら部
２２    脚部
２３    ヒーター
３０    切り欠け部
Ｐ      垂線
【図１】
0005680933.tif 000002
【図２】
0005680933.tif 000003
【図３】
0005680933.tif 000004
【図４】
0005680933.tif 000005
【図５】
0005680933.tif 000006
【図６】
0005680933.tif 000007
【図７】
0005680933.tif 000008
【図８】
0005680933.tif 000009
【図９】
0005680933.tif 000010
【図１０】
0005680933.tif 000011
【図１１】
0005680933.tif 000012
【図１２】
0005680933.tif 000013
【図１３】
0005680933.tif 000014
【図１４】
0005680933.tif 000015